(57)【要約】【課題】  安価で小型の放射線画像形成装置を提供する。【解決手段】  放射線画像をシート状の熱現像感材に直接撮影する撮影部５と、熱現像感材を現像する熱現像部１１とを備える放射線画像形成装置において、撮影部５と熱現像部１１とを近接配置し同一筐体３内に収納する。安価な熱現像感材を用いるため放射線画像形成装置の製造コストを低減でき、しかも、筐体内に撮影部５と熱現像部１１を収納しているためコンパクトに構成され、省スペース化を図ることができる。【選択図】  図１
2005250093.tif 000002
【特許請求の範囲】
【請求項１】
放射線画像をシート状の熱現像感材に直接撮影する撮影部と、前記熱現像感材を現像する熱現像部とを備える放射線画像形成装置において、前記撮影部と前記熱現像部とを近接配置し同一筐体内に収納したことを特徴とする放射線画像形成装置。
【請求項２】
外壁面の一面に被照射体が密着されるテーブルが形成された筐体と、該筐体内の前記テーブル裏面側に設けられた平面状の撮影部と、前記テーブルから前記筐体の外方に離間して設けられたＸ線源と、前記筐体内で前記撮影部の裏側且つ並行に設けられたＸ線遮蔽板と、前記筐体内の前記Ｘ線遮蔽板で覆われた空間内に設けられシート状の熱現像感材を収納するサプライトレイと、前記筐体内で前記サプライトレイ内の熱現像感材を取り出し前記撮影部に搬送する第１搬送装置と、前記撮影部で前記被照射体のＸ線画像が潜像で形成された熱現像感材を前記筐体内で取り出して搬送する第２搬送装置、該第２搬送装置で搬送される前記熱現像感材を前記筐体内で加熱して前記潜像を顕像に現像する熱現像装置と、該熱現像装置により現像された前記熱現像感材を排出する排出部とを備えることを特徴とするＸ線撮影装置。
【発明の詳細な説明】
【技術分野】
【０００１】
本発明は医用のＸ線撮影装置等の放射線画像形成装置に係り、特に、安価で小型な放射線画像形成装置及びＸ線撮影装置に関する。
【背景技術】
【０００２】
医用のＸ線撮影装置の技術進歩は速く、例えば下記特許文献１に記載された放射線固体検出装置は、大判ＣＣＤ（電荷結合素子）等の検出センサを筐体内に備えると共に、この筐体内にプリンタ装置も備え、検出センサで撮像した被検体の放射線画像をプリンタ装置で印刷し出力する構成となっている。この放射線固体検出装置は、放射線画像の撮像から印刷までの必要な機能を全て小さな筐体内に収納しているため、非常にコンパクトに構成できるという利点がある。
【０００３】
【特許文献１】特開２０００―３２１６９２号公報
【発明の開示】
【発明が解決しようとする課題】
【０００４】
上述した従来技術は、コンパクトであるため、設置スペースの省スペース化を図れるという利点がある。しかし、医用に用いる検出センサは、一般用のＣＣＤ等と異なり、１画素でも画素欠陥が存在すると誤診の原因になるので、１００％画素欠陥の無いものが要求されると共に、半切などの大判のものが必要となる。このため、検出センサの価格が現状では非常に高価になってしまうという問題がある。
【０００５】
大きな病院では、価格の高い検出センサを用いたＸ線撮影装置を購入することができるが、小規模医院では、高価なＸ線撮影装置よりも、安価で省スペースのＸ線撮影装置が望まれる。また、多くの小規模医院に安価で小型のＸ線撮影装置を普及させた方が、医療の全体的な平均レベルを向上させる上で好ましい。
【０００６】
本発明の目的は、安価で小型な放射線画像形成装置及びＸ線撮影装置を提供することにある。
【課題を解決するための手段】
【０００７】
本発明の放射線画像形成装置は、放射線画像をシート状の熱現像感材に直接撮影する撮影部と、前記熱現像感材を現像する熱現像部とを備える放射線画像形成装置において、前記撮影部と前記熱現像部とを近接配置し同一筐体内に収納したことを特徴とする。
【０００８】
この構成により、高価な固体撮像素子を使用せずに安価な熱現像感材を用いるため、放射線画像形成装置の製造コストを低減できる。しかも、筐体内に撮影部と現像部を収納しているため、コンパクトに構成され、省スペース化を図ることができる。更に、湿式と異なり、液体を使用しないため、液洩れの心配がなく安全である。
【０００９】
本発明のＸ線撮影装置は、外壁面の一面に被照射体が密着されるテーブルが形成された筐体と、該筐体内の前記テーブル裏面側に設けられた平面状の撮影部と、前記テーブルから前記筐体の外方に離間して設けられたＸ線源と、前記筐体内で前記撮影部の裏側且つ並行に設けられたＸ線遮蔽板と、前記筐体内の前記Ｘ線遮蔽板で覆われた空間内に設けられシート状の熱現像感材を収納するサプライトレイと、前記筐体内で前記サプライトレイ内の熱現像感材を取り出し前記撮影部に搬送する第１搬送装置と、前記撮影部で前記被照射体のＸ線画像が潜像で形成された熱現像感材を前記筐体内で取り出して搬送する第２搬送装置、該第２搬送装置で搬送される前記熱現像感材を前記筐体内で加熱して前記潜像を顕像に現像する熱現像装置と、該熱現像装置により現像された前記熱現像感材を排出する排出部とを備えることを特徴とする。
【００１０】
この構成によっても、高価な固体撮像素子を使用せずに安価な熱現像感材を用いるため、Ｘ線撮影装置の製造コストを低減できる。しかも、筐体内に撮影から現像まで行う機能一式を収納しているため、コンパクトに構成され、省スペース化を図ることができる。更に、湿式と異なり、液体を使用しないため、液洩れの心配がなく安全である。
【発明の効果】
【００１１】
本発明によれば、熱現像感材を使用してＸ線画像を撮影する構成のため、装置を安価に製造することができる。しかも、小さな筐体内にＸ線撮影に必要な機能一式を収納しているため、全体をコンパクトに製造でき、小規模医院の狭いスペースにも容易に設置可能となる。
【発明を実施するための最良の形態】
【００１２】
以下、本発明の一実施形態について、図面を参照して説明する。
【００１３】
図１は、本発明の一実施形態に係る放射線画像形成装置の一例であるＸ線撮影装置の構成図である。このＸ線撮影装置１は、Ｘ線撮影を受ける患者が立位状態で密着されるテーブル２が表面部に設けられた箱形筐体３と、テーブル２から外方に離間して設けられ患者に対してＸ線を照射するＸ線源４とを備える。
【００１４】
箱形筐体３内のテーブル２裏側には平面状の撮影部５が設けられており、この撮影部５に並行にＸ線遮蔽板６が設けられ、Ｘ線遮蔽板６によって遮蔽された空間に、フィルムシート状の熱現像感材を入れたサプライトレイ７の設置場所が設けられている。
【００１５】
箱形筐体３内には、更に、サプライトレイ７から取り出された熱現像感材を撮影部５に立位状態の患者の足側から頭方向に搬送する搬送装置８が設けられ、撮影部５で感光された熱現像感材を患者の頭側から取り出してテーブル２と反対側に設けられた排出トレイ９に搬送する搬送装置１０が設けられ、搬送装置１０の周囲に、搬送装置１０によって搬送される熱現像感材を加熱する熱現像装置１１が設けられる。
【００１６】
尚、上述したＸ線撮影装置は、患者を立位のままＸ線撮影する構成として説明したが、患者を寝かせた状態でＸ線撮影を行うベッドタイプでもよく、また、テーブルを起倒自在に駆動する装置を取り付けた構成でもよい。
【００１７】
上述した構成のＸ線撮影装置では、図示しない撮影開始スイッチが投入されると、サプライトレイから１枚の熱現像感材が取り出され、搬送装置１０によって撮影部５に搬送される。
【００１８】
撮影部５には、予め２枚の離間した増感紙が設けられており、搬送されてきた熱現像感材は２枚の増感紙間に挿入され、この後、増感紙間が狭まり、両増感紙が熱現像感材に密着される。この状態で、Ｘ線源４から患者側にＸ線が照射され、患者のＸ線画像が熱現像感材に感光される。
【００１９】
Ｘ線画像が潜像として形成された熱現像感材は、２枚の増感紙が離間されてから搬送装置１０によって熱現像装置１１内に搬送され、ここで加熱されることで潜像が顕像へと現像される。そしてその後、熱現像感材は風冷によって冷却され、排出トレイ９に出力される。
【００２０】
この様に、本実施形態に係るＸ線撮影装置は、筐体内に、熱現像感材のサプライトレイ７、撮影部５、熱源像部１１と、Ｘ線撮影から現像まで行う機能一式が収納されるため、小型省スペースに構成される。
【００２１】
しかも、熱現像感材を使用するため、非常に安価に製造できるという利点がある。また、湿式と異なり現像液等の液体が不要なため、液こぼれの心配がなく、体の不自由な患者が近くにいても安全である。
【産業上の利用可能性】
【００２２】
本発明に係る放射線画像形成装置及びＸ線撮影装置は、安価且つ小型に構成できるという効果を奏し、普及型のＸ線撮影装置として有用である。
【図面の簡単な説明】
【００２３】
【図１】本発明の一実施形態に係るＸ線撮影装置の構成図である。
【符号の説明】
【００２４】
１  Ｘ線撮影装置
２  テーブル
３  筐体
４  Ｘ線源
５  撮影部
６  Ｘ線遮蔽板
７  サプライトレイ
８  第１搬送装置
９  排出部（排出トレイ）
１０  第２搬送装置
１１  熱現像装置
【図１】
2005250093.tif 000003